(57)【要約】【課題】隣接する壁パネル同士を、シーリングを介さずに接して設置した場合でも、壁パネル同士の境目の縦線が目立たない壁パネルを提供すること。【解決手段】建物の壁面１０１に設けられ、隣接する壁パネル１同士がシーリングを介さずに接して設置される壁パネル１であって、１０１壁面の左右方向に延びるとともに、上下方向に並ぶように配置された細長い複数の隆起部１０と、１０隆起部の周囲に配置される目地部１４と、を備え、隆起部１０のそれぞれは、壁面１０１側に位置する壁パネル１の底面側から表面まで所定の高さを有する高段部１１と、高段部１１よりも高さが低い低段部１２と、を有し、隆起部１０と目地部１４との間又は高段部１１及び低段部１２の間に、壁面１０１の上下方向に延びるように段差部１３が形成され、段差部１３は、上下方向に任意の間隔を空けて並ぶように配置される、壁パネル１である。【選択図】図３
2018009324.tif 000002
【特許請求の範囲】
【請求項１】
建物の壁面に設けられ、隣接する壁パネル同士がシーリングを介さずに接して設置される壁パネルであって、
前記壁面の左右方向に延びるとともに、上下方向に並ぶように配置された細長い複数の隆起部と、
前記隆起部の周囲に配置される目地部と、を備え、
該隆起部のそれぞれは、前記壁面側に位置する前記壁パネルの底面側から表面まで所定の高さを有する高段部と、該高段部よりも高さが低い低段部と、を有し、
前記隆起部と前記目地部との間又は前記高段部及び前記低段部の間に、前記壁面の上下方向に延びるように段差部が形成され、該段差部は、上下方向に任意の間隔を空けて並ぶように配置される、壁パネル。
【請求項２】
前記複数の隆起部における上下方向又は左右方向に隣接する隆起部のそれぞれの上下方向の幅は、異なっている請求項１に記載の壁パネル。
【請求項３】
前記高段部は、彩度及び明度の両方又はいずれか一方が、前記低段部における彩度及び明度の両方又はいずれか一方よりも高く、
前記低段部は、彩度及び明度の両方又はいずれか一方が、前記高段部における彩度及び明度の両方又はいずれか一方よりも低く形成される、請求項１又は２に記載の壁パネル。
【発明の詳細な説明】
【技術分野】
【０００１】
本発明は、壁パネルに関する。詳細には、隣接する壁パネル同士がシーリングを介さずに接して設置される壁パネルに関する。
【背景技術】
【０００２】
従来、建物の壁等の外表面には、意匠的な模様を施した壁パネルが設けられている。壁パネルには、例えば長方形等の所定の形状に隆起した複数の隆起部が表面側に形成され、隆起部により壁面の意匠が形成される。複数の壁パネルを壁面に張設する場合には、隣接する壁パネルと壁パネルとの間で上下方向に延びる縦目地に、シーリング剤が充填されることが提案されている（例えば、特許文献１参照）。
【０００３】
ところで、複数の隆起部を設けた壁パネルを複数張設すると、上下に隣接する隆起部と隆起部との間で左右方向に延びる横目地が、壁パネル間でずれることがある。しかし、壁パネルと壁パネルとの間にシーリング剤を充填する場合には、壁パネル同士がシーリング剤によって所定幅離間するので、壁パネル同士の境目が大きく目立つものではなかった。
【先行技術文献】
【特許文献】
【０００４】
【特許文献１】特開２００４−１０７８７４号公報
【発明の概要】
【発明が解決しようとする課題】
【０００５】
一方、壁面の意匠性をさらに高めるため、シーリング剤を縦目地に充填せず、隣接する壁パネルと壁パネルとを突き合わせ、壁パネルの裏面側で接続することがある。この場合、突き合わせた壁パネル間に隙間ができるために縦の線が形成され、壁パネル同士の境目が目立ってしまうという問題があった。
【０００６】
本発明は、隣接する壁パネル同士を、シーリングを介さずに接して設置した場合でも、壁パネル同士の境目の縦線が目立たない壁パネルを提供することを目的とする。
【課題を解決するための手段】
【０００７】
上記目的を達成するため本発明は、建物の壁面（例えば、後述の壁面１０１）に設けられ、隣接する壁パネル（例えば、後述の壁パネル１）同士がシーリングを介さずに接して設置される壁パネルであって、前記壁面の左右方向に延びるとともに、上下方向に並ぶように配置された細長い複数の隆起部（例えば、後述のブリック部１０）と、前記隆起部の周囲に配置される目地部（例えば、後述の目地部１４）と、を備え、該隆起部のそれぞれは、前記壁面側に位置する前記壁パネルの底面側から表面まで所定の高さを有する高段部（例えば、後述の高段部１１）と、該高段部よりも高さが低い低段部（例えば、後述の低段部１２）と、を有し、前記隆起部と前記目地部との間又は前記高段部及び前記低段部の間に、前記壁面の上下方向に延びるように段差部（例えば、後述の段差部１３）が形成され、該段差部は、上下方向に任意の間隔を空けて並ぶように配置される、壁パネルを提供する。
【０００８】
また、前記複数の隆起部における上下方向又は左右方向に隣接する隆起部のそれぞれの上下方向の幅は、異なっていることが好ましい。
【０００９】
また、前記高段部は、彩度及び明度の両方又はいずれか一方が、前記低段部における彩度及び明度の両方又はいずれか一方よりも高く、前記低段部は、彩度及び明度の両方又はいずれか一方が、前記高段部における彩度及び明度の両方又はいずれか一方よりも低く形成される、ことが好ましい。
【発明の効果】
【００１０】
本発明によれば、隣接する壁パネル同士を、シーリングを介さずに接して設置した場合でも、壁パネル同士の境目の縦線が目立たない壁パネルを提供することができる。
【図面の簡単な説明】
【００１１】
【図１】第１実施形態における壁パネルが壁面に複数張設された状態を示す正面図である。
【図２】図１のＡ−Ａ断面図である。
【図３】第１実施形態における壁パネルを示し、（ａ）図は、正面図であり、（ｂ）図は、（ａ）図のＢ−Ｂ線横断面図であり、（ｃ）図は、側面図である。
【図４】第１実施形態における壁パネルの表面の部分拡大図を、模式的に表した図である。
【図５】第２実施形態における壁パネルの正面図である。
【図６】（ａ）図は、図５における壁パネル同士を隣接させて施工した場合、（ｂ）図は壁パネル同士を隣接させて施工した際にずれが生じた場合、（ｃ）図は、図５における切断端部Ｂ及びＣで切断した壁パネルを隣接させて施工した場合の図である。
【発明を実施するための形態】
【００１２】
以下、本発明の第１実施形態について、図面を参照しながら詳しく説明する。図１は、壁パネル１が家屋の壁面１０１に複数張設された状態を示す図である。
【００１３】
図１に示すように、壁パネル１は、長方形の外壁用板材であり、長手方向が壁面１０１の左右方向に沿うように複数配置されている。壁パネル１は、表面１ａ及び底面１ｂを有し、底面１ｂ側が壁面１０１に対向し、表面１ａが外側に面している。左右に隣接する壁パネル１の間には、シーリング剤を充填せずに、シーリングを介さないで互いに突き合わせて接続されている。また、上下に隣接する壁パネル１は、隣接する互いの端縁が嵌合するようにして接続される。
なお、壁面１０１の左側の出隅には出隅部材１０３が配置され、右側の出隅では互いに交差する方向に延びる壁パネル１同士が突き合わせて張設される。出隅の施工構造としては、壁面１０１の両端部に出隅部材１０３が設けられてもよいし、壁パネル１同士を突合せてもよい。また、図１に示すように、左右でそれらを組み合わせてもよい。
【００１４】
図２は、左右の壁パネル１同士の接合部の断面図を示す。
図２に示すように、壁パネル１には、上下方向に延びる端縁近傍の底面１ｂ側に、いわゆる合じゃくりと呼ばれる断面視Ｌ字状の切り欠き１ｃが形成されている。壁パネル１は、左右に隣接する壁パネル１同士を突き合わせることで、断面視Ｌ字状の切り欠き１ｃが連続して断面視コ字状の凹部が生じ、この凹部に専用の接続部品１０２を取り付けることで、左右の壁パネル１が接続される。壁パネル１を表面１ａ側から見た場合、左右の壁パネル１の接続部品１０２は見えないが、境目の縦線３は視認される。
【００１５】
図３は、壁パネル１を示し、図３（ａ）は、正面図であり、図３（ｂ）は、（ａ）図のＢ−Ｂ線横断面図であり、図３（ｃ）は、側面図である。図３（ａ）に示すように、壁パネル１は、その表面１ａ側に複数の隆起部としてのブリック部１０と、目地部１４と、段差部１３と、を有する。
【００１６】
図３（ｂ）、（ｃ）に示すように、ブリック部１０は、壁パネル１の底面１ｂ側から表面１ａ側に隆起し、壁パネル１の左右方向に沿って配置される複数の細長い略長方形の凸部である。ブリック部１０は、一続きに盛り上がった部分が、断続的に壁パネル１の左右方向に沿って連続的に配置されたものである。また、ブリック部１０は、その短手方向が壁パネル１の上下方向に連続的に並んで配置されている。ブリック部１０は、ざらざらとした石造りのような凸凹した表面を有して形成される。図３（ｂ）に示すように、ブリック部１０は、互いに高さの異なる高段部１１及び低段部１２を有する。
【００１７】
図４は、壁パネル１の部分拡大図を、模式的に表した図である。
高段部１１は、図４に示すように、壁パネル１の底面側から表面側へ所定の高さを有して盛り上がった部分である。高段部１１は、表面が明るく、はっきりとした色味を有し、以下に説明する低段部１２と比べて高い明度及び彩度を有するように塗装される。
【００１８】
低段部１２は、高段部１１よりも低い高さに形成され、壁パネル１の底面近くに形成される。低段部１２の表面は、高段部１１と比べて暗く、くすんだ色味で、高段部１１と比べて低い明度及び彩度を有するように塗装される。
【００１９】
目地部１４は、ブリック部１０の周囲に配置され、ブリック部１０同士の間の地の部分である。目地部１４は、高段部１１及び低段部１２よりも低く形成され、彩度が最も低い部分である。目地部１４は、上下方向に隣接するブリック部１０同士の間では横目地を形成し、左右方向に隣接するブリック部１０同士の間では縦目地を形成する。目地部１４は、高段部１１同士、低段部１２同士の間にも配置される。
【００２０】
段差部１３は、高段部１１及び低段部１２が左右方向に並んで配置されている場合に、互いに隣接する高段部１１及び低段部１２の間で、壁パネル１の高さ（厚さ）方向に延びる面に形成される。また、図４に示すように、段差部１３は、壁パネル１の上下方向に延び、壁パネル１における上下方向に任意の間隔を空けて並ぶように配置される。
【００２１】
段差部１３は、複数のブリック部１０のうち、左右方向の同じ位置に所定の割合で形成される。すなわち、高段部１１と低段部１２との切り替わりは、壁パネル１の意匠的効果を奏するよう不規則になされているが、その中で、ブリック部１０の段数に対して、例えば２０〜２５％以上、好ましくは３０％程度の割合で、段差部１３が左右方向の同じ位置に上下方向に連続性をもって配置されている。段差部１３は、壁パネル１の上下方向において、まばらに、上部、中部、下部にバランスよく配置されることが好ましい。
【００２２】
図１に戻って、第１実施形態における壁パネル１の使用方法について説明する。
複数の壁パネル１は、家屋等の壁面１０１を覆うように複数が隣接して張設される。壁パネル１は、上下方向に隣接する長辺においては、上側の壁パネル１と下側の壁パネル１とを互いに嵌合させて接続する。
【００２３】
壁パネル１は、左右方向に隣接する短辺においては、壁パネル１の底面１ｂ側で合じゃくりと呼ばれる方法で接合される。すなわち、壁パネル１は、表面１ａにシーリング剤を設けずに接合される。このため、壁パネル１には、表面ａ側から見たときに、シーリング剤のように、設けられていることがはっきりとわかる意図的な幅を有した接合部は配置されていない。しかし、左右に隣接する壁パネル１同士の境目の縦線３は、図１及び図３（ａ）に示されるように、視認されうるものとなっている。
【００２４】
壁パネル１には、左右方向に延びるブリック部１０が形成されており、このブリック部１０には高さの異なる高段部１１と低段部１２とが形成されている。高段部１１は、低段部１２に比べて明度及び彩度が高く、低段部１２は、高段部１１に比べて明度及び彩度が低く塗装されているので、高段部１１と低段部１２との高低差がよりくっきりと視認される。特に、低段部１２がより暗く見えることで、段差部１３が強調される。また、光の当たり具合によって、高段部１１の影が低段部１２にできるため、段差部１３が縦の線のように見える。
【００２５】
段差部１３は、上述の通り、上下に連続するように、ブリック部１０における左右方向の同じ位置に配置されている。仮に、ブリック部１０の段数に対して１００％形成された場合、段差部１３が全てのブリック部１０に形成される。すると、段差部１３は、壁パネル１内の意匠としての上下に延びる縦目地となって表れる。段差部１３が上下に連続することで縦目地が表れると、実際の左右方向に隣接する壁パネル１同士が嵌合される嵌合部の縦線３や、壁パネル１と壁面１０１の左側にある出隅部材１０３の間の縦線３がカムフラージュされ、実際に形成されている縦線３が、壁パネル１内の意匠の一部のように見える。
【００２６】
仮に、段差部１３がブリック部１０の段数に対して５０％形成された場合、壁パネル１の上下方向の半分に段差部１３による縦目地が表れる。
仮に、段差部１３がブリック部１０の段数に対して４０％形成された場合、例えば、５段のうちの２段、１０段のうちの４段に段差部１３による縦目地が表れる。
【００２７】
このように検討していくと、段差部１３がブリック部の段数に対して３０％形成された場合、例えば、１０段のうちの３段、２０段のうちの６段、３０段のうちの９段に段差部１３による縦目地が表れる。図３（ａ）に示すように、ブリック部１０に対して段差部１３が３０％前後であれば、壁パネル１の意匠的なブリック部１０の凹凸と、段差部１３が上下に連続することで表れる縦目地のバランスが良くなる。第１実施形態では、上下に連続する４ブリック部１０に１か所程度の割合で段差部１３を設けると、段差部１３が壁パネル１の縦目地の意匠のように見えて、効果的である。
【００２８】
さらに段差部１３の数を減らし、仮に、段差部１３がブリック部１０の段数に対して２０％形成された場合、例えば、５段のうちの１段、１０段の内の２段、３０段のうちの６段に段差部１３による縦目地が表れる。段差部１３がブリック部１０の段数に対して２０％以上形成されれば、縦目地が形成されたように認められる。
【００２９】
なお、段差部１３は、上下方向に任意の間隔を空けて、まばらに形成されていることが好ましい。２０％以上形成されていても、一方に偏って連続して形成されていると、形成されていない部分が大きく空いてしまい、縦目地が視認できなくなるためである。
【００３０】
また、遠目からの壁パネル１の外観を考慮すると、高段部１１及び低段部１２の色味は、白黒のモノトーンよりも、塗装の加飾があった方が、左右に隣接する壁パネル１同士の境目により形成される縦線３に視線が集中しにくい。
【００３１】
第１実施形態によれば、以下の効果が奏される。
第１実施形態では、建物の壁面１０１に設けられ、隣接する壁パネル１同士がシーリングを介さずに接して設置される壁パネル１において、壁面１０１の左右方向に延びるとともに、上下方向に並ぶように配置された細長い複数のブリック部１０と、ブリック部１０の周囲に配置される目地部１４と、を含んで構成した。また、ブリック部１０のそれぞれは、壁面１０１側に位置する壁パネル１の底面１ｂ側から表面１ａまで所定の高さを有する高段部１１と、高段部１１よりも高さが低い低段部１２と、を有し、高段部１１及び低段部１２の間に、壁面１０１の上下方向に延びるように段差部１３を形成し、段差部１３を、上下方向に任意の間隔を空けて並ぶように配置した。具体的には、段差部１３を壁パネルの左右方向のほぼ同じ位置に壁面１０１の上下方向に任意の間隔を空けて並ぶように配置した。
段差部１３を上下方向に任意の間隔で並列させることで、ブリック部１０同士の突き合わせ部分で生じる縦線３に似た外観を一枚の壁パネル１の中に発現させることができる。これにより、ブリック部１０で壁パネル１の意匠を表しつつ、実際の壁パネル１同士の接合部に表れる縦線３に対する視線の集中を緩和する縦の模様が形成される。したがって、隣接する壁パネル１同士を、シーリングを介さずに接して設置した場合でも、壁パネル同士の境目の縦線３が目立たない。
【００３２】
また、高段部１１における、彩度及び明度の両方又はいずれか一方を、低段部１２における彩度及び明度の両方又はいずれか一方よりも高く形成し、低段部１２における、彩度及び明度の両方又はいずれか一方を、高段部１１における彩度及び明度の両方又はいずれか一方よりも低く形成した。高段部１１の方が明るく、はっきりとした色味を有し、低段部１２の方が暗く、くすんだ色味を有する。このため、高段部１１と低段部１２とのコントラストが際立ち、高段部１１と低段部１２との間の縦目地が強調される。よって、上記と同様の効果を奏する。
【００３３】
次に、図４及び５を参照して、第２実施形態に係る壁パネル１Ａについて説明する。第２実施形態の説明において、第１実施形態と同じ点については説明を省略し、共通する構成に関しては第１実施形態と同じ符号を用いる。第２実施形態では、ブリック部１０Ａの上下方向の幅が異なる点で第１実施形態と異なる。
【００３４】
図５は、第２実施形態に係る一枚の壁パネル１Ａの正面図を示す。図４に示すように、ブリック部１０Ａは、第１実施形態と同様に、高さの異なる高段部１１及び低段部１２、高段部１１同士、低段部１２同士が隣接して配置されているが、各ブリック部１０Ａの上下方向の幅が、異なっている。図５に示すように、互いに隣接するブリック部１０Ａにおいて、高段部１１の幅Ｗ１の方が高段部１１の幅Ｗ２よりも狭く、高段部１１の幅Ｗ３の方が低段部１２の幅Ｗ４よりも狭く形成されている。幅の違いは、０．１ｍｍ〜５０ｍｍの範囲である。第２実施形態では、各ブリック部１０Ａは、特に長方形等の四角形であることが好ましい。
【００３５】
第２実施形態では、段差部１３は、高段部１１と低段部１２との間のみならず、高段部１１又は低段部１２と目地部１４との間にも形成される。図５に示されるように、ブリック部１０Ａの上下方向の幅が異なっている場合、段差部１３は、幅の狭いブリック部１０Ａと、目地部１４との間に、壁パネル１の上下方向に延びるように形成される。
【００３６】
ブリック部１０Ａは、上下方向に幅が異なっていても、左右方向に延びる横目地は直線状に延びる。
目地部１４は、幅の細いブリック部１０Ａの周囲に、第１実施形態と比べて広い面積を有して形成される。幅の細いブリック部１０Ａの周囲に位置する目地部１４には、ブリック部１０Ａとの境目に、ブリック部１０Ａの影が映る。これにより、目地部１４とブリック部１０Ａとの間の段差部１３は、余計に暗くなり、縦目地の印象が強調される。
【００３７】
次に、第２実施形態に係る壁パネル１Ａの使用方法について説明する。
図６（ａ）に示すように、壁パネル１Ａを切断せずに、定尺のまま張設した場合、壁パネル１Ａの左側端部Ａと、右側端部Ｅとが接する境目では、ブリック部１０Ａが途切れて、幅の異なるブリック部１０Ａ同士が隣接する。しかし、第２実施形態では、もともとブリック部１０Ａの幅が異なるように形成されており、図中一点鎖線の円で囲んだ部分に表されるように、壁パネル１Ａの左側端部Ａと右側端部Ｅの接合部以外でも、隣接するブリック部１０Ａの幅は異なっている。さらに、第１実施形態と同様、ブリック部１０Ａの間の段差部１３は、任意の間隔を空けて上下方向に並んでいる。このため、壁パネル１Ａ同士の境目は、壁パネル１Ａの意匠の一部のように見え、目立たない。
【００３８】
また、ブリック部１０Ａの影が、幅の細いブリック部１０Ａの周囲の目地部１４にも映る。このため、図６（ａ）の一点鎖線の円内に示すように、ブリック部１０Ａとブリック部１０Ａとの間の縦目地の縦方向の面積が増える。よって、縦目地が強調される。
【００３９】
図６（ｂ）に示すように、施工時には、基材公差や施工誤差により、隣接する左右の壁パネル１Ａの端部がずれる場合がある。しかし、図中一点鎖線の円で囲んだ部分に表されるように、壁パネル１Ａ自体がずれていても、上記同様、壁パネル１Ａの左側端部Ａと右側端部Ｅの接合部以外でも隣接するブリック部１０Ａの幅が異なっているので、壁パネル１Ａ同士の境目が目立たない。
【００４０】
図６（ｃ）に示すように、建物の形状や、壁パネル１Ａを設置する面の寸法により、壁パネル１Ａを、図５に示す切断端部Ｂ及びＣのような、壁パネル１Ａの中間部で切断して、切断した壁パネル１Ａ同士を接合し、張設する場合がある。このような場合、切断端部Ｂ及びＣの接合部では、ブリック部１０Ａが途中で途切れているため、幅の異なるブリック部１０Ａ同士が隣接する。しかし、上記同様、壁パネル１Ａの切断端部Ｂ及びＣの接合部以外でも隣接するブリック部１０Ａの幅が異なっているので、壁パネル１Ａ同士の境目が目立たない。
【００４１】
第２実施形態によれば、以下の効果が奏される。
第２実施形態では、複数のブリック部１０Ａにおける上下方向又は左右方向に隣接するブリック部１０Ａのそれぞれの上下方向の幅を、異なるものとした。また、高段部１１及び低段部１２の間のみならず、ブリック部１０Ａと目地部１４との間にも、壁面１０１の上下方向に延びるように段差部１３を形成した。
【００４２】
隣接するブリック部１０Ａの幅をずらすことにより、左右に隣接する壁パネル１Ａの突き合わせにより形成される縦の線や、基材公差や施工誤差で生じる目地部のずれを目立ちづらくすることができる。
また、壁パネル１Ａをどの位置で切断したとしても、左右に隣接する壁パネル１Ａの突き合わせにより形成される縦の線と、壁パネル１Ａの意匠とが似たものとなるため、壁パネル１Ａの施工が容易になる。
【００４３】
なお、本発明は上記実施形態に限定されるものではなく、本発明の目的を達成できる範囲での変形、改良等は本発明に含まれる。
例えば、上記実施形態では、高段部１１と低段部１２は、明度と彩度の両方において高段部１１が高く、低段部１２が低いものとして説明しているがこれに限られない。明度又は彩度のいずれか一方が異なるものであってもよい。
【００４４】
また、上記実施形態では、細長い長方形のブリック部を例として説明しているが、これに限られない。段差部１３を上下方向に間隔を空けて並ぶように配置するものであれば、ブリック部の形状は限定されるものではない。
【符号の説明】
【００４５】
１      壁パネル
１０    ブリック部（隆起部）
１１    高段部
１２    低段部
１３    段差部
１４    目地部
１０１  壁面
【図１】
2018009324.tif 000003
【図２】
2018009324.tif 000004
【図３】
2018009324.tif 000005
【図４】
2018009324.tif 000006
【図５】
2018009324.tif 000007
【図６】
2018009324.tif 000008